(57)【要約】【課題】単に装飾物であるだけではなく、メッセージを表現することの可能な連結物飾りを提供する。【解決手段】連結物飾り１００は、一列に並ぶ複数の要素体１３０と、複数の要素体１３０を連結する連結体１４０とからなるものであって、隣り合う要素体１３０の間の部分における連結体１４０に、メッセージ要素が表現され、メッセージ要素は、全体で１つのメッセージを表現するものであることを特徴とする。かかる構成によれば、単に装飾物であるだけではなく、メッセージを表現することの可能な連結物飾りを提供することができる。【選択図】図１
2019181919.tif 000002
【特許請求の範囲】
【請求項１】
一列に並ぶ複数の要素体と、前記複数の要素体を連結する連結体とからなる連結物飾りであって、
隣り合う前記要素体の間の部分に、メッセージ要素が表現され、
前記メッセージ要素は、全体で１つのメッセージを表現するものであることを特徴とする、連結物飾り。
【請求項２】
一列に並ぶ複数の要素体と、前記複数の要素体を連結する連結体とからなる連結物飾りであって、
隣り合う前記要素体の間の部分及び前記要素体の外側の部分に、メッセージ要素が表現され、
前記メッセージ要素は、全体で１つのメッセージを表現するものであることを特徴とする、連結物飾り。
【請求項３】
前記メッセージ要素は、前記連結体に表現されることを特徴とする、請求項１又は２に記載の連結物飾り。
【請求項４】
前記メッセージ要素は、穿孔により前記連結体に表現されることを特徴とする、請求項３に記載の連結物飾り。
【請求項５】
前記メッセージ要素は、隣り合う前記要素体の形状によって表現されることを特徴とする、請求項１〜４のいずれかに記載の連結物飾り。
【請求項６】
前記連結体は、前記複数の要素体が配置される長尺物であることを特徴とする、請求項１〜５のいずれかに記載の連結物飾り。
【請求項７】
前記連結体は、前記複数の要素体の間に設けられて前記要素体を連結することを特徴とする、請求項１〜５のいずれかに記載の連結物飾り。
【請求項８】
前記複数の要素体は、十二支を表現した要素体を含み、
第１の前記要素体の鼠を、ミッキーマウスとミニーマウスの少なくとも一方とすることを特徴とする、請求項１〜７のいずれかに記載の連結物飾り。
【請求項９】
前記複数の要素体は、十二支を表現した要素体を含み、
メッセージが「ＤＲＥＡＭＳ  ＣＯＭＥ  ＴＲＵＥ」又は「ＤＲＥＡＭ  ＣＯＭＥＳ  ＴＲＵＥ」であることを特徴とする請求項１〜８のいずれかに記載の連結物飾り。
【請求項１０】
一列に並ぶ複数の要素体と、前記複数の要素体同士を連結する複数の連結体とからなる連結物飾りであって、
複数の連結体にメッセージ要素がそれぞれ設けられることにより、隣り合う前記要素体の間の部分に、メッセージ要素が表現され、
前記メッセージ要素は、全体で１つのメッセージを表現するものであることを特徴とする、連結物飾り。
【請求項１１】
一列に並ぶ複数の要素体と、前記複数の要素体同士を連結する複数の連結体とからなる連結物飾りであって、
複数の連結体にメッセージ要素がそれぞれ設けられることにより、隣り合う前記要素体の間の部分に、メッセージ要素が表現され、
前記メッセージ要素は、全体で１つのメッセージを表現するものであり、
前記メッセージ要素は、穿孔により前記連結体に表現されることを特徴とする、連結物飾り。
【発明の詳細な説明】
【技術分野】
【０００１】
本発明は干支飾り等の連結物飾りに関するものであり、特に、メッセージを表現できる連結物飾りに関するものである。
【背景技術】
【０００２】
連結物飾りは、要素体を連結して装飾物としたものである。要素体としては、十二支、十二星座、ディズニーキャラクター、十二使徒、七福神、偉人、大作曲家、交通路線の駅名、等の何らかの共通性をもつ複数の要素に対応した要素体を含むものが知られている（例えば、特許文献１参照）。
【０００３】
連結物飾りとしては、例えば、十二支の動物に模した十二個の瀬戸物や刺繍を、上下方向に連続するように吊り下げた壁飾りが、中国、台湾など中華圏を中心にして市販されており、縁起物として、広く市民に好まれている。色々な動物が、可愛くデザインされ、また中華圏以外の人々にとっては、異国情緒をそそるものでもあるため、中華圏以外の市民にとっても魅力のある装飾品となっている。
【先行技術文献】
【特許文献】
【０００４】
【特許文献１】実用新案登録第３２１２１８１号公報
【発明の概要】
【発明が解決しようとする課題】
【０００５】
しかしながら、市販されている連結物飾りは、まずその美しさが魅力であり、次に十二支という縁起物としての魅力、さらに異国情緒も魅力であるが、メッセージ性という点では、乏しいものと言わざるを得ない。
【０００６】
そこで本発明は、このような問題に鑑みてなされたもので、その目的とするところは、単に装飾物であるだけではなく、メッセージを表現することの可能な、新規かつ改良された連結物飾りを提供することにある。
【課題を解決するための手段】
【０００７】
上記課題を解決するために、本発明によれば、一列に並ぶ複数の要素体と、前記複数の要素体を連結する連結体とからなる連結物飾りであって、隣り合う前記要素体の間の部分に、メッセージ要素（文字、記号又は模様など）が表現され、前記メッセージ要素は、（単独では意味を持たないが）全体で１つのメッセージを表現するものであることを特徴とする、連結物飾りが提供される。
【０００８】
また、本発明によれば、一列に並ぶ複数の要素体と、前記複数の要素体を連結する連結体とからなる連結物飾りであって、隣り合う前記要素体の間の部分及び前記要素体の外側の部分に、メッセージ要素（文字、記号又は模様など）が表現され、前記メッセージ要素は、（単独では意味を持たないが）全体で１つのメッセージを表現するものであることを特徴とする、連結物飾りが提供される。
【０００９】
かかる構成によれば、メッセージを表現できる連結物飾りが実現できる。また、メッセージの内容を、例えば、人類の英知がもたらした格言とすることにより、単に美しいものを見たときの喜びにとどまらず、連結物飾りを見るたびに、よき人生を送るための知恵や勇気を与えることもでき、その意義は大きい。
【００１０】
本発明は様々な応用が可能である。以下の応用例は適宜組み合わせることが可能である。
例えば、前記メッセージ要素は、前記連結体に表現されるようにしてもよい。この際、前記メッセージ要素は、穿孔により前記連結体に表現されるようにしてもよい。穿孔は大きな一つの孔でもよく、ドット状の孔を複数設けるようにしてもよい。メッセージを穿孔する場合は、一見したときはメッセージの存在に気が付かず、よく見たり、他人に言われたりして初めて気が付く、といった快い驚きをもたらす可能性もあり、話題性にも富むものである。
【００１１】
また、前記メッセージ要素は、隣り合う前記要素体の形状によって表現されるようにしてもよい。例えば、一の要素体でメッセージ要素の半分（上半分、左半分など）を表現するようにし、その隣りの要素体でメッセージ要素の半分（下半分、右半分など）を表現するようにしてもよい。
【００１２】
連結体と要素体の配置についても、さまざまな応用が可能である。例えば、前記連結体は、前記複数の要素体が配置される長尺物であってもよい。長尺状の連結体にまとめてメッセージ（メッセージ要素）を設けることができる。また、長尺状の連結体に要素体を配置するだけで連結体と要素体とを連結することができるため、製造工程が少なく製造が容易である。
【００１３】
あるいは、前記連結体は、前記複数の要素体の間に設けられて前記要素体を連結するようにしてもよい。メッセージ要素ごとの連結体を作成しておき、メッセージ要素を適宜組み合わせることによって、様々なメッセージの連結物飾りを作成することができる。また、連結体自体の形状をメッセージ要素とすることにより、連結体に別途メッセージ要素を設ける必要がない。さらに、複数の要素体の間に設けられる連結体の形状を適宜変えたりすることにより、デザイン性に富む連結物飾りとすることができる。
【００１４】
また、前記複数の要素体は、十二支を表現した要素体を含み、第１の（端部の）前記要素体の鼠（ねずみ、十二支では子とも表記される）を、ミッキーマウス（登録商標）とミニーマウス（登録商標）の少なくとも一方としてもよい。すなわち、第１の要素体をミッキーマウス又はミニーマウスのいずれか一方だけにしてもよく、ミッキーマウス及びミニーマウスの両方にしてもよい。遊び心があり商品価値の高い連結物飾りとすることができる。また、連結物飾りが販売される地点名（例えば国名、都市名、観光名所名、テーマパーク名）に関連したものとすることができ、お土産としての価値を高めることができる。
【発明の効果】
【００１５】
本発明によれば、単に装飾物であるだけではなく、メッセージを表現することの可能な連結物飾りが提供される。本発明のその他の効果については、後述する発明を実施するための形態においても説明する。
【図面の簡単な説明】
【００１６】
【図１】連結物飾り１００の構成を示す図である。
【図２】図１の部分拡大図である。
【図３】連結体１４０の構成を示す図である。
【図４】メッセージ要素１３０を示す図である。
【図５】連結体２４０の構成を示す図である。
【図６】第１の要素体をミッキーマウスにした連結物飾り３００の構成を示す図である。
【発明を実施するための形態】
【００１７】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１８】
（第１の実施形態）
第１の実施形態について説明する。図１は、本実施形態の連結物飾り１００の構成を示す図である。連結物飾り１００は、図１に示したように、飾りを懸垂する懸垂体１１０と、銘板（めいばん）１２０と、十二支を構成する鼠、牛、虎、・・・を示す要素体１３０（１３０−１、１３０−２、１３０−３、・・・、１３０−１２）と、懸垂体１１０と銘板１２０と要素体１３０を連結する連結体１４０と、から主に構成されている。以下、各構成要素について順に説明する。
【００１９】
（懸垂体１１０）
懸垂体１１０は、この連結物飾り１００を懸垂するものである。懸垂体１１０は、図１に示したように、連結体１４０の上端に連結される連結部１１２と連結部１１２から上方に延びるループ部１１４とから構成される。連結部１１２は、花をモチーフにした造形物であり、裏面が連結体１４０に連結される。ループ部１１４は、例えば、壁に設けられたフックなどに引っ掛けることによって、連結物飾り１００を懸垂することができる。なお、懸垂のさせ方は任意の方法でよい。
【００２０】
（銘板１２０）
銘板１２０は、十二支飾りが販売される地点名（例えば国名、都市名、観光名所名、テーマパーク名）などを表示するものである。銘板１２０は、例えば、図１に示したように、方形状のプレートであり、本実施形態においては、テーマパークを示すロゴが使用されている。銘板１２０は、懸垂体１１０と要素体１３０の間に配置され、裏側が連結体１４０に連結される。
【００２１】
（要素体１３０）
要素体１３０は、連結物飾り１００を彩る飾りの役割を持っているものである。要素体１３０は、図１に示したように、複数設けられ、それらが一列に並んで連結体１４０によって連結される。要素体１３０は、十二支を構成する鼠１３０−１、牛１３０−２、虎１３０−３、・・・を示す造形物である。
【００２２】
本実施形態では、要素体１３０は、図２に示したように、ぬいぐるみで構成されるが、例えば、紙の工作や、編みぐるみ、樹脂の工作などでもよい。要素体１３０は、上から干支の順、すなち、鼠１３０−１、牛１３０−２、虎１３０−３、・・・の順に並べられて連結体１４０の後述する各文字の間に取り付けられる。
【００２３】
（連結体１４０）
連結体１４０は、複数の要素体１３０を連結するものであるとともに、メッセージ要素（文字、記号又は模様など）を表出するものである。メッセージ要素は、単独では意味を持たないが全体で１つのメッセージを表現するものである。連結体１４０は、図３に示したように、要素体１３０を連結する長尺状に構成されている。連結体１４０の上端には、懸垂体１１０が設けられており、懸垂体１１０の下方には長さ方向に上から順に銘板１２０、要素体１３０として十二支を構成する鼠１３０−１、牛１３０−２、虎１３０−３、・・・の順に設けられる。
【００２４】
連結体１４０には、図１及び図２に示したように、メッセージ要素が設けられる。メッセージ要素は、文字を連結体１４０に穿孔することで構成される。連結体１４０において懸垂体１１０と銘板１２０の間に位置する部分に文字「Ｄ」が穿孔され、銘板１２０と鼠を示す要素体１３０の間に位置する部分に文字「Ｒ」が穿孔され、鼠を示す要素体１３０−１と牛を示す要素体１３０−２の間に位置する部分に文字「Ｅ」が穿孔され、牛を示す要素体１３０−２と虎を示す要素体１３０−３の間に位置する部分に文字「Ａ」が穿孔される。
【００２５】
さらに、図１に示したように、虎を示す要素体１３０−３と兎を示す要素体の間に位置する部分に文字「Ｍ」が穿孔されている。同様に、兎以降の十二支を構成する動物を示す要素体間に位置する部分に、文字「Ｓ」、「Ｃ」、「Ｏ」、「Ｍ」、「Ｅ」、「Ｔ」、「Ｒ」、「Ｕ」がそれぞれ穿孔される。そして、十二支の最後の動物である猪１３０−１２を示す要素体と連結体１４０の下端との間に位置する部分に、文字「Ｅ」が穿孔される。これにより、「ＤＲＥＡＭＳＣＯＭＥＴＲＵＥ」（ドリームズ・カム・トゥルー、夢はかなうという意味）というメッセージが表現される。なお、連結体１４０の下端に房を設けて、最下部の文字「Ｅ」を十二支の最後の動物である猪を示す要素体と房との間に設けてもよい。
【００２６】
メッセージ要素の穿孔のデザインは様々なものが考えられる。例えば、穿孔は、図４（ａ）に示したように、大まかな文字のイメージを伝えるように形成してもよく、図４（ｂ）に示したように、文字の形に複数の小さい孔を設けて形成してもよく、また、図４（ｃ）に示したように、文字の外側の輪郭を形作るように形成してよい。本実施形態のデザインは、図４（ｃ）に示すものである。
【００２７】
なお、本実施形態では、一例として、「ＤＲＥＡＭＳＣＯＭＥＴＲＵＥ」というメッセージにしたが、メッセージの内容は、ユーザが任意に設定できるようにしてもよい。例えば、「ＤＲＥＡＭＣＯＭＥＳＴＲＵＥ」でもよく、その他の任意のメッセージでよい。十二支を採用した場合は、その両端に文字を入れる場合には１４文字程度が好ましい。また、メッセージの単語間など適切な位置にスペースを入れるようにしてもよい。また、メッセージ要素を連結体１４０に穿孔することで構成したが、メッセージ要素を記載してもよい。また、メッセージ要素を別体で構成して貼り付けてもよい。
【００２８】
（第１の実施形態の効果）
以上説明したように、本実施形態によれば、メッセージを表現できる連結物飾り１００が実現できる。また、メッセージの内容を、例えば、人類の英知がもたらした格言とすることにより、単に美しいものを見たときの喜びにとどまらず、連結物飾り１００を見るたびに、よき人生を送るための知恵や勇気を与えることもでき、その意義は大きい。
【００２９】
また、メッセージを穿孔することにより、一見したときはメッセージの存在に気が付かず、よく見たり、他人に言われたりして初めて気が付く、といった快い驚きをもたらす可能性もあり、話題性にも富むものである。
【００３０】
また、連結体１４０を、複数の要素体１３０が配置される長尺物としたことによって、長尺状の連結体１４０にまとめてメッセージ（メッセージ要素）を設けることができる。また、長尺状の連結体１４０に要素体１３０を配置するだけで連結体１４０と要素体１３０とを連結することができるため、製造工程が少なく製造が容易である。なお、連結体１４０にメッセージ要素を設けた後に、連結体１４０に懸垂体１１０、銘板１２０及び要素体１３０を取り付けてもよいが、連結体１４０に懸垂体１１０、銘板１２０及び要素体１３０を取り付けた後に、連結体１４０にメッセージ要素を設けるようにしてもよい。
【００３１】
以下では、上記第１の実施形態を応用した他の実施形態について説明する。以下の実施形態の説明では、上記第１の実施形態と異なる点を中心に説明することとし、上記第１の実施形態と同様の点については、重複説明を省略することがある。
【００３２】
（第２の実施形態）
本実施形態の連結物飾り２００は、図５に示したように、懸垂体２１０、銘板２２０及び隣り合う要素体２３０の間の部分にのみ連結体２４０−１、２４０−２、２４０−３、・・・が配置されるものである。連結体２４０−１、２４０−２、２４０−３、・・・は帯状の形状をしており、複数設けられる。メッセージ要素は、上記第１の実施形態と同様に、全ての連結体２４０−１、２４０−２、２４０−３、・・・に設けられ、全体として一つのメッセージを構成する。その他の懸垂体２１０、銘板２２０、要素体２３０については、第１の実施形態の連結物飾り１００の懸垂体１１０、銘板１２０、要素体１３０と同様であるため、重複説明を省略する。
【００３３】
（第２の実施形態の効果）
メッセージ要素ごとの連結体２４０を作成しておき、メッセージ要素を適宜組み合わせることによって、様々なメッセージの連結物飾り２００を作成することができる。また、連結体２４０自体の形状をメッセージ要素とすることにより、連結体２４０に別途メッセージ要素を設ける必要がない。さらに、懸垂体２１０、銘板２２０及び隣り合う要素体２３０の間の部分に配置される連結体２４０の形状を適宜変えたりすることにより、デザイン性に富む連結物飾り２００とすることができる。
【００３４】
（第３の実施形態）
本実施形態の連結物飾り３００は、図６に示したように、十二支を表現した要素体３３０を含み、第１の要素体（先頭の要素体）３３０−１である鼠を、ミッキーマウス（登録商標）又はミニーマウス（登録商標）としたものである。第１の要素体（先頭の要素体）３３０−１は、図６に示したように、ミッキーマウス（登録商標）を表したプレートで構成される。この第１の要素体３３０−１は、銘板３２０に記載されたテーマパークを示すロゴと関連付けられている。第１の要素体３３０−１から下の十二支を構成する牛３３０−２、虎３３０−３、・・・は、第１の実施形態の要素体１３０と同様に、牛、虎、・・・を示す造形物である。なお、第１の要素体３３０−１から下の要素体も銘板３２０に記載されたテーマパークに関連するキャラクターとしてもよい。
【００３５】
（第３の実施形態の効果）
遊び心があり商品価値の高い連結物飾り３００とすることができる。また、連結物飾り３００が販売される地点名（例えば国名、都市名、観光名所名、テーマパーク名）に関連したものとすることができ、お土産としての価値を高めることができる。なお、第１の要素体である鼠は、ミッキーマウス及びミニーマウスの両方にしてもよい。
【００３６】
（第４の実施形態）
本実施形態は、上記第１の実施形態の応用であり、隣り合う要素体の形状によってその間の部分にメッセージ要素を表出するものである。例えば、図２において、牛１３０−２の両足を下に伸ばして、メッセージ要素「Ａ」の上半分を抱くようにデフォルメし、虎１３０−３の耳や尻尾をデフォルメして、メッセージ要素「Ａ」の下半分を表現するようにしてもよい。少し離れたところから連結物飾りを見ると、牛１３０−２と虎１３０−３の間に、メッセージ要素「Ａ」が表現されている。他のメッセージ要素についても同様である。
【００３７】
なお、本実施形態のように隣り合う要素体を用いてその間にメッセージ要素を表現する際には、上記第１の実施形態のように連結体にメッセージ要素を設けてもよく設けなくてもよい。また、要素体１３０どうしを直接連結することができる場合には、連結体が無い構成としてもよい。
【００３８】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００３９】
例えば、上記実施形態では、メッセージ要素を、隣り合う要素体１３０の間の部分及び要素体１３０の外側の部分における連結体１４０に表現する例について説明したが、本発明はこれに限定されない。メッセージ要素を、隣り合う要素体１３０の間の部分にのみ設けるようにしてもよい。
【００４０】
また、上記実施形態では、連結体を長尺物とし、要素体を直線状に上下に配置された例を示したが、本発明はこれに限定されない。連結体と要素体を左右、斜め方向の直線状としてもよい。また、直線状ではなく、例えば波形、ハート形等のマーク形状、円周状、その他の不定形の環状、その他の不定形の形状、一筆書きできる文字の形状等、一列に要素体が配置できる飾りにも適用可能である。
【００４１】
また、上記実施形態では、複数の要素体の間に配置される連結体を帯状の形状とした例を示したが、連結体そのものがＡ字状、Ｂ字状等のアルファベットの形状、その他の字状、ハート形等のマーク形状、円周状、その他の不定形の環状、その他の不定形の形状など適宜形状とすることができる。
【００４２】
さらに、上記実施形態では、十二支飾りの例を示したが、十二支、十二使徒、十二星座、七福神、ディズニーキャラクター、偉人、大作曲家、交通路線の駅名、等、何らかの共通性をもつ複数の対象物を表現した飾りについても、本発明の適用が可能である。また、懸垂体、銘板、房の全て又は一部が省略される場合についても、本発明の適用が可能である。
【００４３】
また、上記実施形態で説明したメッセージは一例であり、任意のメッセージを採用することができる。例えば、「無病息災家内安全開運招福」のようなメッセージでもよい。また、上記実施形態では、比較的一般的に適用されるメッセージの例を示したが、特に実施例３においては、例えば、「Ｉ  ＬＯＶＥ  ＹＯＵ  ＸＸＸＸＸ」といった個人的なメッセージとすることも勿論可能である。さらに、例えば、ディズニーキャラクターを対象とした連結物飾りの場合には、「ＭＩＮＮＩＥ  ＬＯＶＥＳ  ＹＯＵ」等、対象物に関連したメッセージを採用してもよい。
【００４４】
また、上記実施形態では、英語のメッセージの例を示したが、他の言語を使用することも勿論可能である。
【００４５】
上記実施形態、応用例、変形例は、任意に組み合わせて実施することができる。
【符号の説明】
【００４６】
１００、２００、３００  連結物飾り
１１０  懸垂体
１２０、２２０、３２０  銘板
１３０（１３０−１、１３０−２、１３０−３、・・・、１３０−１２）、２３０（２３０−１、２３０−２、２３０−３、・・・）、３３０（３３０−１、３３０−２、３３０−３、・・・）  要素体
１４０、２４０、３４０  連結体
【図１】
2019181919.tif 000003
【図２】
2019181919.tif 000004
【図３】
2019181919.tif 000005
【図４】
2019181919.tif 000006
【図５】
2019181919.tif 000007
【図６】
2019181919.tif 000008